(57)【特許請求の範囲】
【請求項１】
家屋の壁の穴に挿入される円筒形状の挿入筒部と、この挿入筒部の屋外側の端に連なり上記家屋の壁の屋外側の面に沿って配置されるフランジ部と、このフランジ部を覆うフード部とを備え、
上記フード部が、上記フランジ部と間隔をおいて対向する正面壁部と、上記フランジ部と正面壁との間に形成された収容空間の上側を覆う上壁部とを有するとともに、下側および左右両側に通気口を有する換気フードにおいて、
上記収容空間には筒状の水切り部材が配置され、この水切り部材には多数の穴が形成され、
上記通気口と上記挿入筒部の内部空間とが、上記水切り部材の多数の穴を介して連通されることを特徴とする換気フード。
【請求項２】
家屋の壁の穴に挿入される円筒形状の挿入筒部と、この挿入筒部の屋外側の端に連なり上記家屋の壁の屋外側の面に沿って配置されるフランジ部と、このフランジ部を覆うフード部とを備え、
上記フード部が、上記フランジ部と間隔をおいて対向する正面壁部と、上記フランジ部と正面壁との間に形成された収容空間の上側を覆う上壁部と、上記収容空間の左右両側の上部を覆う側壁部とを有するとともに、下側および左右両側の下部に通気口を有する換気フードにおいて、
上記収容空間には下に凸の半筒状の水切り部材が配置され、この水切り部材には多数の穴が形成され、
上記通気口と上記挿入筒部の内部空間とが、上記水切り部材の多数の穴を介して連通されることを特徴とする換気フード。
【請求項３】
上記水切り部材の最下位部分が、上記挿入筒部の最下位部分より下方に位置していることを特徴とする請求項１または２に記載の換気フード。
【請求項４】
上記水切り部材が上記挿入筒部と同軸の円筒形をなし、水切り部材の内径が挿入筒部の内径より大きく、水切り部材と挿入筒部との間に配置される上記フランジ部の一部が、環状の段差を提供することを特徴とする請求項１に記載の換気フード。
【請求項５】
上記水切り部材が上記挿入筒部と同軸の半円筒形をなし、水切り部材の内径が挿入筒部の内径より大きく、水切り部材と挿入筒部との間に配置される上記フランジ部の一部が、半円弧状の段差を提供することを特徴とする請求項２に記載の換気フード。
【請求項６】
上記フランジ部には、突起及び／又は段差部からなる係止部が、少なくとも上記水切り部材の下および左右に位置して形成され、
上記水切り部材は、上記係止部に係止されてその径方向の移動が禁じられるとともに、上記フード部の正面壁部と上記フランジ部との間に挟まれて軸方向の移動が禁じられた状態で、上記収容空間に収容されることを特徴とする請求項１〜５に記載の換気フード。
【請求項７】
上記フード部は、上記正面壁部と上記上壁部とを一体に有し、
上記フード部の上壁部の屋内側の縁には下方に突出する複数の第１係止片が設けられ、この係止片は上記フランジ部の上縁部に形成されたスリットに上方から差し込まれ、
上記フード部の左右の下端部には一対の第２係止片が設けられ、これら第２係止片が上記フランジ部に形成された一対の第３係止片に上方から係合されることを特徴とする請求項６に記載の換気フード。
【請求項８】
上記第３係止片は、上記フランジ部と間隙を介して対向する引掛部を有し、上記第２係止片は弾性爪部を有し、
上記フード部を上記フランジ部に取り付ける際に、上記弾性爪部は上記引掛部により弾性変形されながら上記間隙を通り、引掛部を越えた時に元の形状に弾性復帰し、この弾性爪部の上端が引掛部に係止されることにより、フード部の上方への移動が禁じられることを特徴とする請求項７に記載の換気フード。
【発明の詳細な説明】
【技術分野】
【０００１】
本発明は、家屋の壁に設置される換気フードに関する。
【背景技術】
【０００２】
換気フードは、家屋内の熱気や湿気を逃がしたり、台所からの煙等をダクトを介して逃がしたりするために用いられ、種々のタイプが開発されている。
特許文献１に開示された換気フードは、家屋の壁の穴に挿入される挿入筒部と、この挿入筒部の屋外側の端に連なり家屋の壁に沿って配置されるフランジ部と、このフランジ部に設けられたフード部とを備えている。
フード部は、上記フランジ部に対向する正面壁部と、これらフランジ部と正面壁部との間に形成された空間の上側を覆う上壁部とを有している。フード部は、下側と左右両側に通気口を有している。
【０００３】
さらに、上記フランジ部には、上記挿入筒部の屋外側の開口を覆う網が取り付けられている。この網は、挿入筒部の屋外側の端を塞ぐようにして取り付けられ、挿入筒部の軸線と直交する平面上に配置されている。
【０００４】
上記換気フードでは、屋内の熱気、湿気、煙が上記挿入筒部の内部空間、上記網、上記フード部の内部空間を順に通って通気口から排出される。
暴風雨の時には、風が通気口からフード内部空間を通り、網を通り、挿入筒部の内部空間を経て屋内に逆流することがある。風は、通気口から挿入筒部へと向きを変える過程で減圧され、網でも減圧される。風に乗って雨滴も通気口から入り込むが、フード内面に当たったり網に当たって流下し、屋内に入り込まないようになっている。
【０００５】
特許文献２は、フード部の左右両側に通気口が形成され、この通気口に網が設けられている。
特許文献３は、フード部内に配置された防虫ネットを開示している。この防虫ネットは円筒部と正面部とを一体に有している。防虫ネットはその筒部をフード部の筒部に内接させた状態でフード部に取り付けられている。フード部の正面の通気口が防虫ネットの正面部を介して挿入筒部の内部空間に連通している。
【先行技術文献】
【特許文献】
【０００６】
【特許文献１】特開２０１４−１２２７５３号公報
【特許文献２】実用新案登録３０１６５１０号公報
【特許文献３】実開平２−１０６５３４号公報
【発明の概要】
【発明が解決しようとする課題】
【０００７】
特許文献１の換気フードでは、風に乗って通気口から入り込んできた雨滴は、フード部の内部空間で方向を変える時、網に当たる時に大部分捕捉されるものの、細かい雨滴が風とともに網を通って挿入筒部に向かい屋内に達すること（以下、漏水と言う）がある。特に風が下から風が吹き上げて入ってくる場合、左右から入ってくる場合にその傾向がある。
上記漏水を確実に防止するには、網の目を細かくし、雨滴の侵入を抑制することが考えられるが、そうすると通常時の換気効率を著しく低下させてしまう。網の配置領域が挿入筒部の屋外側の開口の断面積により制約されているからである。
【０００８】
特許文献２の換気フードでは、通常時の換気効率を確保するために、左右両側の通気口の開口面積を十分に確保しなくてはならず、換気フードの厚さが増大してしまう。
【０００９】
特許文献３の換気フードでは、防虫ネットの正面部の配置領域を挿入筒部の開口の断面積より広くすることができるものの、暴風雨の時に、風が正面から吹き込んでくると、防虫ネットの正面部だけで雨滴の侵入を防ぐことはできない。そのため、フードの正面にルーバ等を設ける必要があり、換気フードの厚さの増大を招く。
【課題を解決するための手段】
【００１０】
本発明は、上記課題を解決したもので、第１の態様は、
家屋の壁の穴に挿入される円筒形状の挿入筒部と、この挿入筒部の屋外側の端に連なり上記家屋の壁の屋外側の面に沿って配置されるフランジ部と、このフランジ部を覆うフード部とを備え、上記フード部が、上記フランジ部と間隔をおいて対向する正面壁部と、上記フランジ部と正面壁との間に形成された収容空間の上側を覆う上壁部とを有するとともに、下側および左右両側に通気口を有する換気フードにおいて、
上記収容空間には筒状の水切り部材が配置され、この水切り部材には多数の穴が形成され、上記通気口と上記挿入筒部の内部空間とが、上記水切り部材の多数の穴を介して連通されることを特徴とする。
【００１１】
上記構成によれば、水切り部材を筒状にしたので、風が下から吹き込んで入ってくる場合、横から入ってくる場合でも、水切り部材で減圧することができ、雨滴の大部分を水切り部材に当てて落下させることができる。
しかも、水切り部材に留まった雨滴による水膜が、雨滴の侵入を抑制することができる。また、雨滴が水切り部材の穴から水切り部材の内側に飛び込んでも、この雨滴は風が挿入筒部への向きを変える際に水切り部材の反対側に当たり捕捉される。その結果、漏水を確実に防ぐことができる。
また、水切り部材の穴を形成する領域の面積は挿入筒部の制約を受けないので、暴風時の漏水を防止するのに必要とされる抑止機能を確保しながら、通常時の換気効率を良好に維持することができる。
【００１２】
本発明の第２の態様は、
家屋の壁の穴に挿入される円筒形状の挿入筒部と、この挿入筒部の屋外側の端に連なり上記家屋の壁の屋外側の面に沿って配置されるフランジ部と、このフランジ部を覆うフード部とを備え、上記フード部が、上記フランジ部と間隔をおいて対向する正面壁部と、上記フランジ部と正面壁との間に形成された収容空間の上側を覆う上壁部と、上記収容空間の左右両側の上部を覆う側壁部とを有するとともに、下側および左右両側の下部に通気口を有する換気フードにおいて、
上記収容空間には下に凸の半筒状の水切り部材が配置され、この水切り部材には多数の穴が形成され、上記通気口と上記挿入筒部の内部空間とが、上記水切り部材の多数の穴を介して連通されることを特徴とする。
【００１３】
上記第２の態様によれば、通常の換気効率を第１の態様と同程度にすると厚さが増大するものの、第１の態様と同様の漏水防止効果が得られる。
【００１４】
好ましくは、上記水切り部材の最下位部分が、上記挿入筒部の最下位部分より下方に位置している。
この構成によれば、水切り部材の下部に雨水が溜まっても、挿入筒部への侵入を防ぐことができる。
【００１５】
好ましくは、上記水切り部材が上記挿入筒部と同軸の円筒形をなし、水切り部材の内径が挿入筒部の内径より大きく、水切り部材と挿入筒部との間に配置される上記フランジ部の一部が、環状の段差を提供する。
この構成によれば、雨滴が水切り部材の穴を通って飛び込んだとしても環状の段差に当たり、挿入筒部への侵入を防止できる。また、水切り部材の下部に雨水が溜まっても、挿入筒部への侵入を防ぐことができる。
【００１６】
好ましくは、上記水切り部材が上記挿入筒部と同軸の半円筒形をなし、水切り部材の内径が挿入筒部の内径より大きく、水切り部材と挿入筒部との間に配置される上記フランジ部の一部が、半円弧状の段差を提供する。
この構成によれば、水切り部材から細かい雨滴が飛んできても半円弧状の段差に当たり、挿入筒部への侵入を防止できる。また、水切り部材の下部に雨水が溜まっても、挿入筒部への侵入を防ぐことができる。
【００１７】
好ましくは、上記フランジ部には、突起及び／又は段差部からなる係止部が、少なくとも上記水切り部材の下および左右に位置して形成され、上記水切り部材は、上記係止部に係止されてその径方向の移動が禁じられるとともに、上記フード部の正面壁部と上記フランジ部との間に挟まれて軸方向の移動が禁じられた状態で、上記収容空間に収容される。
この構成によれば、水切り部材をねじ等で固定しないので、組み付け、取り外し作業が簡単である。
【００１８】
好ましくは、上記フード部は、上記正面壁部と上記上壁部とを一体に有し、上記フード部の上壁部の屋内側の縁には下方に突出する複数の第１係止片が設けられ、この係止片は上記フランジ部の上縁部に形成されたスリットに上方から差し込まれ、上記フード部の左右の下端部には一対の第２係止片が設けられ、これら第２係止片が上記フランジ部に形成された一対の第３係止片に上方から係合される。
この構成によれば、フード部をフランジ部に取り付ける際に、ねじ等を用いないので、フード部の組み付け、取り外し作業も簡単である。
【００１９】
好ましくは、上記第３係止片は、上記フランジ部と間隙を介して対向する引掛部を有し、上記第２係止片は弾性爪部を有し、上記フード部を上記フランジ部に取り付ける際に、上記弾性爪部は上記引掛部により弾性変形されながら上記間隙を通り、引掛部を越えた時に元の形状に弾性復帰し、この弾性爪部の上端が引掛部に係止されることにより、フード部の上方への移動が禁じられる。
この構成によれば、弾性爪部と引掛部の係止により、フード部を安定して支持することができる。また、弾性爪部を弾性変形させることによりフード部の取り外しも簡単である。
【発明の効果】
【００２０】
本発明によれば、暴風雨時の漏水を確実に防止できるとともに、厚さの増大を抑えながら通常時の良好な換気効率を維持することができる。
【図面の簡単な説明】
【００２１】
【図１】本発明の第１実施形態をなす換気フードの斜視図である。
【図２】同第１実施形態の換気フードの分解斜視図である。
【図３】同第１実施形態の換気フードの側面図である。
【図４】同第１実施形態の換気フードの分解側面図である。
【図５】同第１実施形態の換気フードの側断面図である。
【図６】図５中Ａ−Ａ線に沿う断面図である。
【図７】同第１実施形態においてボデイにフード部材を取り付ける直前の状態を示す要部の斜視図である。
【図８】同第１実施形態においてボデイにフード部材を取り付けた後の状態を示す要部の斜視図である。
【図９】本発明の第２実施形態をなす換気フードの図３相当図である。
【図１０】本発明の第３実施形態をなす換気フードの図６相当図である。
【発明を実施するための形態】
【００２２】
以下、本発明の第１実施形態をなす換気フードを、図1〜図８を参照しながら説明する。
図１〜図４に示すように、換気フードは、ボデイ１と、フード部材４０（フード部）と、水切り部材５０とを、主たる構成要素として備えている。
【００２３】
上記ボデイ１は、１枚の金属板を成形してなり、挿入筒部１０と、この挿入筒部１０の屋外側の端に連なるフランジ部２０と、このフランジ部２０の下縁から斜め下方に延びる水切板部３０とを一体に有している。
【００２４】
上記挿入筒部１０は、円筒形をなし、家屋の壁の穴（実際には壁の穴に挿入されたパイプ：図示しない）または壁の穴に挿入されたダクトの端部に挿入される。
上記挿入筒部１０の外周には、周方向に間隔をおいて抜け止め金具１１が固定されており、これら抜け止め金具１１は上記壁穴のパイプやダクト端部の内周に弾性力をもって当たるようになっている。
図２、図５、図６に示すように、本実施形態では、挿入筒部１０の屋内側の端に、径方向、内方向に突出する環状の鍔部１２が形成されている。
上記挿入筒部１０の内部空間を図中符号１５で示す。図２、図５参照。
【００２５】
上記ボデイ１のフランジ部２０は、家屋の壁の屋外側の面に沿って配置される。図２、図４〜図６に示すように、フランジ部２０は、略正方形をなす平板部２１と、この平板部２１の上辺に沿って延びるとともに平板部２１と直交する段差部２２と、平板部２１の左右の側辺に沿って延びるとともに平板部２１と直交する段差部２３と、これら段差部２２，２３に沿って延びるとともに平板部２１と平行をなし平板部２１よりも屋外方向に位置する縁板部２４，２５と、これら縁板部２４，２５の外縁から直角に屋外方向に突出する起立鍔２６，２７とを有している。
【００２６】
さらに上記フランジ部２０は、上記平板部２１を上記挿入筒部１０の屋外側の端に連ねる環状のテーパ部２８を有している。このテーパ部２８は、屋外側に向かって径が拡大する。
上記平板部２１の下縁に上記水切板部３０が連なっている。
【００２７】
上記平板部２１は挿入筒部１０の軸線と直交し、壁の屋外側の面に固定されるようになっている。
上記段差部２２，２３は、後述するように水切り部材５０を係止する係止部としての役割を有する。
【００２８】
図２、図５、図６に示すように、上記平板部２１の下部中央には、屋外方向に向かって突出する突起２１ａが形成されている。この突起２１ａは、後述するように水切り部材５０を係止する係止部としての役割を有する。
【００２９】
図２、図４〜図６に示すように、上記フランジ部２０の上側の起立鍔２６には、下方に突出する一対の係合部２６ａが、左右に離れて形成されている。各係合部２６ａにはスリット２６ｂ（図２にのみ示す）が形成されている。これら係合部２６ａは、後述するようにフード部材４０を着脱可能に取り付けるためのものである。
【００３０】
図２、図６に示すように、上記フランジ部２０の左右の段差部２３の下端部には、係合片２９（第３係合片）が固定されている。図２、図７、図８に示すように、この係合片２９は、略Ｌ字形をなし、段差部２３に固定される固定部２９ａと、縁板部２５と離間対向する対向部２９ｂと、この対向部２９ｂの上縁から縁板部２５に向かって突出する引掛部２９ｃとを有している。この引掛部２９ｃと縁板部２５との間には間隙２９ｄが形成されている。この係合片２９は、後述するようにフード部材４０を着脱可能に取り付けるためのものである。
【００３１】
次に、フード部材４０について説明する。図１〜図４に示すように、フード部材４０は、１枚の金属板を成形してなり、上記フランジ部２０に離間対向する略正方形の正面壁４１と、上壁部４２と、左右の側壁部４３とを有している。
【００３２】
図２に示すように、上記上壁部４２の屋内側の縁には、下方に突出する一対の係合片４２ａ（第１係合片）が左右に離れて形成されている。これら係合片４２ａを上記フランジ部２０の係合部２６ａのスリット２６ｂに上から差し込むことにより、図５、図６に示すように、フード部材４０の上壁部４２がフランジ部２０の上縁部に取り付けられる。
【００３３】
図２、図６に示すように、上記左右の側壁４３の下端部の内面には係合片４４（第２係合片）が固定されている。図７、図８に示すように、この係合片４４は、側壁部４３の内面に固定される固定部４４ａと、この固定部４４ａと直交する段差部４４ｂと、この段差部４４ｂから固定部４４ａとは反対方向（すなわち屋内方向）に延びる対向部４４ｃと、この対向部４４ｃと直交する連結部４４ｄと、この連結部４４ｄの上縁から斜め上方（すなわち上方に向かうにしたがって正面壁部４１に近づくように）に延びる弾性爪部４４ｅとを有している。上記対向部４４ｃは側壁４３の下端部と離間対向しており、両者の間に間隙４４ｆが形成されている。
【００３４】
図７に示すように、上記係合片４４を上記フランジ部２０の係合片２９の上方に位置させ、上記間隙４４ｆにフランジ部２０の起立鍔部２７が入り込むようにする。この状態で、フード部材４０を下方に移動させると、弾性爪部４４ｅがフランジ部２０側の間隙２９ｄに入り込み、引掛部２９ｃに押されて弾性変形しながら下方へ移動する。この弾性爪部４４ｅは、その先端が引掛部２９ｃを越えた時に元の形状に弾性復帰する。その結果、図８に示すように、弾性爪部４４ｅの上端が引掛部２９ｃに係止され、これによりフード部材４０の下端部左右がフランジ部２０に取り付けられるとともに、フード部材４０の上方への移動が禁じられる。
【００３５】
図５、図６に示すように、上記フード部材４０の正面壁部４１とフランジ部２０との間には、収容空間４５が形成される。この収容空間４５は、正面側（屋外側）がフード部材４０の正面壁部４１で覆われ、上側がフード部材４０の上壁部４２で覆われ、左右両側の略上半部分が側壁部４３によって覆われている。
【００３６】
上記フード部材４０は、その下側に上記収容空間５０に連なる通気口４６を有している。さらに左右側壁４３には、その下端部を残して略下側半分の領域に通気口４７が形成されている。
【００３７】
図２、図４に示すように、上記水切り部材５０は、帯状のパンチングメタルを丸めてその両端を溶接することにより構成されており、上記挿入筒部１０より大径の円筒形状（筒形状）を有している。水切り部材５０には、多数の穴５１がマトリックス状に形成されている。各穴５１の開口面積は２ｍｍ２以下が好ましい。
本実施形態では、この水切り部材５０の両側縁が内側に折り曲げられて、環状の鍔部５２となっている。
【００３８】
図１、図３、図５、図６に示すように、上記水切り部材５０は、収容空間４５に収容されている。図６に最も良く示されるように、水切り部材５０は、この収容状態で、その最下位部位がフランジ部２０の平板部２１に形成された突起２１ａに当たることにより下方への移動を禁じられ、その左右部がフランジ部２０の左右の段差部２３に当たることにより、左右方向の移動が禁じられている。
【００３９】
上記水切り部材５０の最上位部は、フランジ部２０の上側の段差部２２に当たるか僅かな間隙を介して対峙している。水切り部材５０は、段差部２２に当たらなくても、その自重により突起２１ａに当たるので上下方向の位置決めは可能であり、安定した支持も可能である。
【００４０】
図５に示すように、水切り部材５０は、フランジ部２０の平板部２１とフード部材４０の正面壁部４１に挟まれることにより、軸方向の移動を禁じられている。この状態で、水切り板５０の鍔部５２は平板部２１と正面壁部４１に当たる。
【００４１】
上記収納状態で、水切り部材５０は挿入筒部１０と同軸をなしている。前述したように水切り部材５０は挿入筒部１０より大径であるので、図５、図６に示すように、フランジ部２０の一部は、挿入筒部１０の内周面と水切り部材５０の内周面との間に、環状の段差２０ａを提供する。この段差２０ａは、上記テーパ部２８と、上記平板部２１においてこのテーパ部２８に隣接した環状領域を含んでいる。
【００４２】
上記環状の段差２０ａにより、上記水切り部材５０の内周面の最下位部は上記挿入筒部１０の内周面の最下位部より低くなっている。この高低差を図５においてΔＨで示す。
水切り部材５０はフード部材４０の上壁部４２、側壁４３から離れており、収容空間４５は、この水切り部材５０を全周にわたって包囲する空間部を含むことになる。
【００４３】
上記構成の換気フードは、次のようにして組み立てられる。
最初に、水切り部材５０を図６に示すようにフランジ部２０にセットする。
次に、フード部材４０をフランジ部２０に近づけ、フード部材４０の左右の側壁部４３をフランジ部２０の左右の起立鍔部２７の外側に重ねた状態で、下方へ移動させることにより、上側の係合片４２ａをフランジ部２０のスリット２６ｂに差し込むとともに、左右の係合片４４をフランジ部２０の係合片２９に係合することにより、フード部材４０をフランジ部２０に取り付ける。この組立の際にねじを用いないので、組立が簡単である。
【００４４】
分解する際には、係合片４４の弾性爪部４４ｅを押して変形させながらフード部材４０を上方へ移動させることにより簡単に分解することができる。
【００４５】
次に、上記換気フードの作用を説明する。屋内の湿気、熱気、煙は挿入筒部１０の内部空間１５を通り、水切り部材５０の穴５１を通り、収容空間４５を通って通気口４６，４７から排出される。この状況で、水切り部材５０は防虫の役割も担う。
【００４６】
暴風雨の時には、空気の流れは上記とは逆になり、通気口４６，４７から入り込んだ風は、水切り部材５０の穴５１を通り方向を変えることにより、勢いを大きく減じられて挿入筒部１０に向かう。風とともに通気口４６，４７に入り込んだ雨滴は、大部分が水切り部材５０に当たって落下する。雨滴の一部は水切り部材５０の穴５１に毛細管現象により留まり、隣接する穴５１の水同士が連なって水膜を作り、さらなる雨滴の侵入を防いだり雨滴の勢いを減じる。水切り部材５０の両側から下部に向かって、その外周面および内周面に水膜を張りながら水の流れが生じ、この水が最下位部から落下する。
【００４７】
上記水切り部材５０の内周面の最下位部位は、上記挿入筒部１０の内周面の最下位部位より低いので、水切り部材５０の最下位部位に溜まった水が挿入筒部１０に入り込むのを確実に阻止することができる。
また、雨滴のごく一部が細かくなって水切り部材５０内に飛び込んだとしても、水切り部材５０の反対側の部位に当たったり、上記水切り部材５０の内周面と上記挿入筒部１０の内周面との間の環状の段差２０ａに当たるため、挿入筒部１０に向かって飛んでいくのを阻止される。
【００４８】
次に、本発明の他の実施形態について説明する。これら実施形態において先行する実施形態に対応する構成部については、同番号を付して説明を省略する。
図９に示す第２実施形態では、フード部材４０の側壁部４３に形成される通気口４７Ａが上下に長く形成されており、これにより、フード部材４０の左右がほぼ全域にわたって開放されている。
【００４９】
図１０に示す第３実施形態では、多数の穴５１を有する水切り部材５０Ａが下に凸の半円筒（半筒）形状をなして、収容空間４５に収容されている。水切り部材５０Ａの左右両端には鍔部５５が形成され、この鍔部５５が左右の通気口４７の上縁に当たっている。なお、この鍔部５５は、屋内側に切欠（図示しない）を有し、この切欠の縁がフランジ部２０の段差部２３と縁板部２５に接するようになっている。これにより、収容空間４５は水切り部材５０Ａにより２つの空間部に仕切られている。
フランジ部２０は、上記水切り部材５０Ａの内周面と挿入筒部１０の内周面との間に半円弧形状の段差２０ｂを有している。
【００５０】
本発明は上記実施形態に制約されず、種々の形態を採用可能である。
水切り部材は多角形の筒または半筒であってもよい。
フード部の正面壁部と上壁部、側壁部は一体でなくてもよい。例えば上壁部、側壁部はフランジ部と一体であってもよい。
水切り部材に、筒部に連なるとともに挿入筒部の軸と直交する平面上に延びる平面部を設け、この平面部がフード部の正面壁部に当たるようにしてもよい。
水切り部材に、筒部に連なるとともに挿入筒部の軸と直交する平面上に延びる平面部を設け、この平面部が挿入筒部の屋外側の開口を覆うようにしてもよい。
水切り部材はパンチングメタルではなく網であってもよい。
フランジ部、フード部は円形であってもよい。
【産業上の利用可能性】
【００５１】
本発明は、家屋に設置される換気フードに適用できる。
【符号の説明】
【００５２】
１０  挿入筒部
２０  フランジ部
２０ａ  環状の段差
２０ｂ  半円弧形状の段差
２１ａ  突起（係止部）
２２，２３  段差部（係止部）
２９  係合片（第３係合片）
２９ｃ  引掛部
２９ｄ  間隙
４０  フード部材（フード部）
４１  正面壁部
４２  上壁部
４２ａ  係合片（第１係合片）
４３  側壁部
４４  係合片（第２係合片）
４４ｅ  弾性爪部
４５  収容空間
４６，４７，４７Ａ  通気口
５０，５０Ａ  水切り部材
５１  穴
【図１】
0006333129.tif 000002
【図２】
0006333129.tif 000003
【図３】
0006333129.tif 000004
【図４】
0006333129.tif 000005
【図５】
0006333129.tif 000006
【図６】
0006333129.tif 000007
【図７】
0006333129.tif 000008
【図８】
0006333129.tif 000009
【図９】
0006333129.tif 000010
【図１０】
0006333129.tif 000011